(57)【要約】【課題】上下筐体間を電気的に繋ぐケーブルとスライド機構を一体化し、薄型化に適すると共に、配線機構のノイズの低減を図る構造の携帯端末を提供する。【解決手段】スライド機構１０のベース部材１には、中空のシャフト２とシャフト３が取り付けられ、それぞれにスプリング状のバネ４とバネ５が外嵌される。スライド機構１０のスライダー８は、シャフト２とシャフト３に外嵌され、バネ４とバネ５を圧縮伸長させながら、シャフト２、３上をスライドする。ベース部材１は取り付け穴１ｃで第１筐体５０に取り付けられ、スライダー８は取り付け穴８ｃで第２筐体７０に取り付けられ、第１筐体５０と第２筐体７０がスライドＯＰＥＮになる方向の付勢力が与えられる。ケーブル２０の線材２２、２３は、シャフト２、３の中空部分に通されて、一端のコネクタ２１は、第１筐体５０の印刷基板に繋がり、他端のコネクタ２４、２５は、第２筐体７０の印刷基板に繋がる。【選択図】図２
2009194755.tif 000002
【特許請求の範囲】
【請求項１】
第１の筐体と、第２の筐体と、この第１および第２の筐体に取り付けられて、第１および第２の筐体を相互に摺動させるスライド機構と、第１の筐体と第２の筐体間を接続するケーブルとを備える携帯端末であって、
前記スライド機構は、
前記第１の筐体に取り付け固定される中空形状のシャフトと、
前記第２の筐体に取り付け固定され、前記シャフトに外嵌されてこのシャフト上を摺動する摺動部材とを有し、
前記ケーブルは、
前記シャフトの中空部分に内挿されて前記第１の筐体側と第２の筐体側を繋ぐ線材を有する
ことを特徴とする携帯端末。
【請求項２】
前記スライド機構は、更に、
前記シャフトに外嵌されて付勢力を生じるバネ部材を有する
ことを特徴とする請求項１に記載の携帯端末。
【請求項３】
第１の筐体と、第２の筐体と、この第１および第２の筐体に取り付けられて、第１および第２の筐体を相互に摺動させるスライド機構と、第１の筐体と第２の筐体間を接続するケーブルとを備える携帯端末であって、
前記スライド機構は、
前記第１の筐体に取り付け固定される中空形状の第１のシャフトと、
前記第１の筐体に取り付け固定される中空形状の第２のシャフトと、
前記第２の筐体に取り付け固定され、前記第１および第２のシャフトに外嵌されてこのシャフト上を摺動する摺動部材とを有し、
前記ケーブルは、
前記第１のシャフトの中空部分に内挿されて前記第１の筐体側と第２の筐体側を繋ぐ第１の線材と、
前記第２のシャフトの中空部分に内挿されて前記第１の筐体側と第２の筐体側を繋ぐ第２の線材とを有する
ことを特徴とする携帯端末。
【請求項４】
第１の筐体と、第２の筐体と、この第１および第２の筐体に取り付けられて、第１および第２の筐体を相互に摺動させるスライド機構と、第１の筐体と第２の筐体間を接続するケーブルとを備える携帯端末であって、
前記スライド機構は、
前記第１の筐体の側面に沿って延設し固定され、前記摺動時に前記第２の筐体内の第１の移動領域を移動する中空形状の第１のシャフトと、
前記第１の筐体の他の側面に沿って延設し固定され、前記摺動時に前記第２の筐体内の第２の移動領域を移動する中空形状の第２のシャフトと、
前記第２の筐体に取り付け固定され、前記第１および第２のシャフトに外嵌されてこのシャフト上を摺動する摺動部材とを
有し、
前記ケーブルは、
前記第１の筐体内に配置される第１のコネクタと、
前記第１の移動領域と第２の移動領域とを避ける第２の筐体内の位置に配置される第２のコネクタと、
前記第１の移動領域と第２の移動領域とを避ける第２の筐体内の位置に配置される第３のコネクタと、
前記第１のコネクタに一端を接続され、前記第１のシャフトの中空部分を通り、当該第１のシャフトの端部から出て、前記第２のコネクタに他端を接続される第１の線材と、
前記第１のコネクタに一端を接続され、前記第２のシャフトの中空部分を通り、当該第２のシャフトの端部から出て、前記第３のコネクタに他端を接続される第２の線材とを有する
ことを特徴とする携帯端末。
【請求項５】
前記スライド機構は、更に、
前記第１のシャフトに外嵌されて付勢力を生じる第１のバネ部材と、
前記第２のシャフトに外嵌されて付勢力を生じる第２のバネ部材とを有する
ことを特徴とする請求項３又は４に記載の携帯端末。
【請求項６】
前記第１の線材の内、前記第１のシャフトの端部から出て前記第２のコネクタまでの間の部分は、前記第１および第２の筐体の摺動がオープン状態では、前記第１の移動領域中の第１の収納領域にほぼ収納され、前記第１および第２の筐体の摺動がクローズ状態では、前記第１のシャフトの端部から出て折り返された第２の収納領域にほぼ収納されることを特徴とする請求項４に記載の携帯端末。
【請求項７】
前記第２のコネクタは、前記第１および第２の筐体の摺動がオープン時の前記第１のシャフトの端部の位置と、前記第１および第２の筐体の摺動がクローズ時の前記第１のシャフトの端部の位置との略中間で前記第１のシャフトの第１の移動領域を避けた位置に配置され、
前記第１の収納領域と第２の収納領域の長さが略同じになることを特徴とする請求項６に記載の携帯端末。
【請求項８】
前記シャフトは、導電性または電磁遮蔽性の材質であることを特徴とする請求項１に記載の携帯端末。
【請求項９】
前記ケーブルの第１の線材と第２の線材の一方には、主に電力系統を通し、線材の他方には、主に信号系統を通すことを特徴とする請求項３に記載の携帯端末。
【請求項１０】
前記ケーブルの線材は、複数の細線同軸線を結束した線材であることを特徴とする請求項１に記載の携帯端末。
【発明の詳細な説明】
【技術分野】
【０００１】
本発明は、スライド型の携帯端末において、上下筐体間を電気的に繋ぐケーブルとスライド機構を一体化した携帯端末に関する。
【背景技術】
【０００２】
従来のスライド型の携帯端末では、上下筐体間の配線にフレキシブル基板を使用している。このような構造の携帯電話機がある（特許文献１参照。）。この特許文献１の携帯電話機は、フレキシブル基板９が携帯電話機の厚み方向でたるませて折り返す形状であり、薄型化に適していない。
【０００３】
スライド機構の小型化を図ったスライド型携帯通信機がある（特許文献２参照。）。この特許文献２のスライド機構は、棒状のシャフト３０１上をアクチュエータ３０６がスライドする。棒状のシャフト３０１には、円筒形のばね３０７が配置されて、アクチュエータ３０６のスライド動作に弾性力を与える。そして、このスライド機構のシャフト３０１が携帯通信機の上筐体１０１のフレーム３０３に取り付けられ、スライド機構のアクチュエータ３０６が下筐体２０１に取り付けられて、上筐体１０１と下筐体２０１が相互にスライドする。上筐体１０１と下筐体２０１間の配線についての記載はない。
【特許文献１】特開２００６−１２８８０８号公報（頁３〜４、図１〜図２）
【特許文献２】特開２００６−３３３０７９号公報（頁４〜６、図１〜図７）
【発明の開示】
【発明が解決しようとする課題】
【０００４】
特許文献１の携帯電話機のフレキシブル基板では、携帯電話機の薄型化に適していない。また、フレキシブル基板の信号と他の電気部品間の相互ノイズを低減することについての記載がない。特許文献２の携帯通信機では、スライド機構の記載はあるが、上下筐体間の配線についての記載はない。
【０００５】
本発明は、上下筐体間を電気的に繋ぐケーブルとスライド機構を一体化し、薄型化に適すると共に、ケーブルのノイズの低減を図る構造の携帯端末を提供することを目的とする。
【課題を解決するための手段】
【０００６】
上記目的を達成するために、本発明の携帯端末は、第１の筐体と、第２の筐体と、この第１および第２の筐体に取り付けられて、第１および第２の筐体を相互に摺動させるスライド機構と、第１の筐体と第２の筐体間を接続するケーブルとを備える携帯端末であって、前記スライド機構は、前記第１の筐体に取り付け固定される中空形状のシャフトと、前記第２の筐体に取り付け固定され、前記シャフトに外嵌されてこのシャフト上を摺動する摺動部材とを有し、前記ケーブルは、前記シャフトの中空部分に内挿されて前記第１の筐体側と第２の筐体側を繋ぐ線材を有することを特徴とする。
【発明の効果】
【０００７】
本発明によれば、上下筐体間を電気的に繋ぐケーブルとスライド機構を一体化し、薄型化に適すると共に、ケーブルのノイズの低減を図る構造とすることができる。
【発明を実施するための最良の形態】
【０００８】
図１は、本発明の実施例に係る携帯端末の外観斜視図であり、筐体がスライドして開いた状態を示す。携帯端末１００は、第１筐体５０が第２筐体７０を包み込む構造であり、第１筐体５０のガイド凸部５４と第２筐体７０のガイド凹部７３が底面側からスライド方向に向かって設けられ、両者が鞘状に合わさって、ガイドとしてスライド自在に係合している。
【０００９】
第１筐体５０の主面側には、受話器５１、表示部５２、多機能キー５３などが設けられる。第２筐体７０の主面側には、送話器７１、テンキー７２などが設けられる。
【００１０】
図２は、本発明の実施例に係る携帯端末のスライド機構とケーブルの外観斜視図である。図中の点線部分は、スライダー８の内、ベース部材１に隠れて見えない部分を表したものである。
【００１１】
スライド機構１０は、携帯端末１００に内蔵されて、第１筐体５０と第２筐体７０をバネの付勢力でスライドさせる機構である。スライド機構１０は、第１筐体５０に取り付けられるベース部材１と、第２筐体７０に取り付けられるスライダー８などから構成される。
【００１２】
ベース部材１の端部１ａと１ｂには、それぞれ中空のシャフト２とシャフト３がスライド方向に並行に取り付けられる。この両シャフトそれぞれにスプリング状のバネ４とバネ５が外嵌される。
【００１３】
スライダー８のリング８ａ、８ｂは、それぞれ、シャフト２とシャフト３に外嵌され、スライダー８は、バネ４とバネ５を圧縮または伸長させながら、シャフト２、３上をスライドする。バネ４とバネ５は、伸長方向の付勢力を有する。
【００１４】
ベース部材１には、複数の取り付け穴１ｃがあり、その箇所で、第１筐体５０に取り付けられる。その状態で、シャフト２とシャフト３は、第１筐体５０（図１）の両側面に沿って延設されることになる。スライダー８には、複数の取り付け穴８ｃがあり、その箇所で、第２筐体７０に取り付けられる。これにより、第１筐体５０と第２筐体７０がスライドＯＰＥＮになる方向の付勢力が与えられる。
【００１５】
一方、ケーブル２０は、第１筐体５０と第２筐体７０間を電気的に繋ぐケーブルであり、コネクタ２１、線材２２、線材２３、コネクタ２４、コネクタ２５などから構成される。コネクタ２１に一端が繋がる線材２２は、複数の細線同軸線を結束した線材であり、シャフト２の中空部分に通されて、他端がコネクタ２４に繋がる。コネクタ２１に一端が繋がる線材２３も、複数の細線同軸線を結束した線材であり、シャフト３の中空部分に通されて、他端がコネクタ２５に繋がる。
【００１６】
コネクタ２１は第１筐体５０側の印刷基板に接続され、コネクタ２４、コネクタ２５は、第２筐体７０側の印刷基板に接続されて、第１筐体５０と第２筐体７０間が電気的に繋がる。
【００１７】
このように、ケーブル２０の線材２２、２３を、スライド機構１０のシャフト２、３の中空部分に通すことにより、特別な配線経路を設ける必要がなくなり、また、スライド部分が線材２２、２３に引っ掛かることもなくなり、携帯端末１００をコンパクトで薄型の構造とすることができる。
【００１８】
また、シャフト２、３の長さは、第１筐体５０の長さにほぼ同じであり、シャフト２、３を導電性や電磁遮蔽効果のある材質とすることにより、線材２２、２３と他の電気系統間のノイズの相互影響を軽減することができる。特に、線材２２、２３の大部分がシャフト２、３により覆われているので、その効果が顕著である。
【００１９】
また、線材２２と線材２３の一方を主に電力系、他方を主に信号系にすることにより、線材２２と線材２３間のノイズの相互影響も軽減することができる。
【００２０】
なお、線材２２と線材２３の細線同軸線の本数が少ない場合は、いずれかにまとめてもよい。また、線材２２と線材２３に分けた場合でも、コネクタ２４とコネクタ２５は、まとめて１個のコネクタとしてもよい。また、第１筐体５０側のコネクタ２１は１個であるが、線材２２と線材２３がそれぞれつながる２個のコネクタに分けてもよい。
【００２１】
図３は、本発明の実施例に係る携帯端末の筐体にスライド機構とケーブルが組み込まれた状態およびスライド状態を説明する図である。（Ａ）はスライドＯＰＥＮ状態の主面側、（Ｂ）はスライドＣＬＯＳＥ状態の主面側、（Ｃ）はスライドＣＬＯＳＥ状態の側面側、（Ｄ）は底面側の図である。
【００２２】
図中の点線部分は、第１筐体５０を基準として第２筐体７０をスライドさせたときに移動する部分を表したものであり、（Ａ）から（Ｂ）のように、点線部分が移動するものである。なお、（Ａ）、（Ｂ）では、ベース部材１の図示を省略する、
まず、第１筐体５０および第２筐体７０と、スライド機構１０との取り付けについて説明する。第１筐体５０にはスライド機構１０のベース部材１が取付け穴１ｃ部分で取り付けられ、第２筐体７０にはスライド機構１０のスライダー８が取付け穴８ｃ部分で取り付けられる。その状態で、シャフト２とシャフト３は、第１筐体５０の両側面に沿って延設されることになる。
【００２３】
第２筐体７０の中に２箇所の楕円点線で示したシャフト移動領域７６、７７は空間であり、スライド時にシャフト２、３がこの部分に入り込む空間として確保してある。シャフト移動領域７６、７７は、略、（Ａ）のスライドＯＰＥＮ状態のシャフト端部２ａ、３ａの位置から、（Ｂ）のスライドＣＬＯＳＥ状態のシャフト端部２ａ、３ａの位置までの間である。
【００２４】
したがって、コネクタ２４、２５、印刷基板７４などは、シャフト移動領域７６、７７を避ける位置、例えば、シャフト移動領域７６と７７の間やシャフト移動領域７６、７７の背面側に配置される。また、コネクタ２４、２５のスライド方向の配置は、シャフト移動領域７６、７７のスライド方向の略中間に位置する。そして、スライダー８がシャフト２、３上をスライドすることにより、第１筐体５０と第２筐体７０がスライド自在となる構造である。また、第１筐体５０にはロック爪５６が設けられ、第２筐体７０にはロック穴７５が設けられる。
【００２５】
次に、第１筐体５０および第２筐体７０と、ケーブル２０の接続について説明する。第１筐体５０には、印刷基板５５が設けられ、印刷基板５５上のコネクタにケーブル２０のコネクタ２１が勘合される。第２筐体７０には、印刷基板７４が設けられ、印刷基板７４上のコネクタにケーブル２０のコネクタ２４、２５が勘合される。
【００２６】
次に、スライド状態について説明する。（Ａ）のスライドＯＰＥＮ状態は、バネ４とバネ５の伸張方向の付勢力により、第１筐体５０と第２筐体７０が開く方向にスライドした状態で安定している。この状態から、ユーザは、第１筐体５０の方に第２筐体７０をスライド機構１０のバネの付勢力に抗してスライドして押し込むと、点線で示したロック穴７５、スライダー８、コネクタ２４、２５などが、図中の左方向へ移動する。また、バネ４、５は、圧縮される。
【００２７】
そして、ロック爪５６とロック穴７５が勘合してロックされ、（Ｂ）および（Ｃ）のスライドＣＬＯＳＥ状態で安定する。
【００２８】
次に、ユーザは、図示しないロック解除ボタンを押すと、ロック爪５６とロック穴７５の勘合が外れて、スライド機構１０のバネの伸張方向の付勢力により、（Ａ）のスライドＯＰＥＮ状態に戻る。
【００２９】
このスライドに伴って線材２２、２３の移動する部分は、コネクタ２４、２５に繋がる点線部分のみである。線材２２、２３の実線で示した部分、すなわち、コネクタ２１に繋がる部分と、シャフト２、３の中空部分に通された部分は、第１筐体５０やシャフト２、３に対しては固定されており、したがって、接触してこすれることはない。
【００３０】
なお、スライド機構１０のベース部材１の取り付け穴１ｃで第１筐体５０に取り付けたが、ベース部材１をなくして、シャフト２、シャフト３の端部を直接、第１筐体５０に取り付けるようにしてもよい。
【００３１】
また、（Ｄ）の底面図において、第１筐体５０の背面側のガイド凸部５４と、第２筐体７０の背面側に面した部分とは、ほぼ同一面上にあるが、この第２筐体７０の背面側に面した部分を、ガイド凸部５４より更に背面側に飛び出る構造として、第２筐体７０の容積を増やす構造としてもよい。  
また、シャフト２とシャフト３の２本を設けたが、シャフト１本の構成であってもよい。
【００３２】
図４は、本発明の実施例に係る携帯端末の第２筐体の中での線材の移動を説明する図であり、図３の内、第２筐体とシャフトとケーブルを主体に図示している。図３とは逆に、第２筐体７０を固定し、第１筐体５０をスライドさせた状態で図示する。（Ａ）はスライドＯＰＥＮ状態の主面側、（Ｂ）はスライド途中状態の主面側、（Ｃ）はスライドＣＬＯＳＥ状態の主面側の図である。
【００３３】
シャフト２、３のシャフト端部２ａ、３ａは、（Ａ）から（Ｂ）を経て（Ｃ）の状態へと、またその逆の順序で、シャフト移動領域７６、７７の空間を移動する。
【００３４】
線材２２、２３は、シャフト２、３の中空部の出口であるシャフト端部２ａ、３ａから出て、途中で折り返されて、それぞれ、コネクタ２４、２５に繋がっている。線材の長さは固定であり、シャフト端部２ａ、３ａから出て、それぞれ、コネクタ２４、２５に繋がるまでの点線で示した部分の線材２２、２３の長さも固定である。
【００３５】
この線材２２、２３の点線で示した部分は、（Ａ）のスライドＯＰＥＮ状態では、シャフト移動領域７６、７７の一部の空間である２箇所の第１収納領域７８に存在する。（Ｂ）を経て、（Ｃ）のスライドＣＬＯＳＥ状態では、線材２２、２３の点線で示した部分は、シャフト端部２ａ、３ａから折り返されてコネクタ２４、２５に繋がる２箇所の第２収納領域７９の空間に存在する。第２収納領域７９は、シャフト移動領域７６と７７の間や背面側に外れた領域である。
【００３６】
コネクタ２４、２５は、スライド方向の配置として、シャフト移動領域７６、７７のスライド方向の略中間に位置する。したがって、線材２２、２３の点線で示した部分は、最短の長さとすることができ、しかも、それらの収納領域である第１収納領域７８と第２収納領域７９とは、ほぼ同じ長さになる。
【００３７】
このような配置により、筐体のスライドに伴う線材の動きが、他の部材とのぶつかりや摺動する距離を少なくすることができる。
【００３８】
本発明の実施例によれば、スライド機構１０とケーブル２０を一体化し、ケーブル２０の線材２２、２３を、スライド機構１０のシャフト２、３の中空部分に通すことにより、特別な配線経路を設ける必要がなくなり、また、スライド部分が線材２２、２３に引っ掛かることもなくなり、携帯端末１００をコンパクトで薄型の構造とすることができる。
【００３９】
また、シャフト２、３の長さは、第１筐体５０の長さにほぼ同じであり、シャフト２、３を導電性や電磁遮蔽効果のある材質とすることにより、線材２２、２３と他の電気系統間のノイズの相互影響を軽減することができる。
【図面の簡単な説明】
【００４０】
【図１】本発明の実施例に係る携帯端末の外観斜視図。
【図２】本発明の実施例に係る携帯端末のスライド機構とケーブルの外観斜視図。
【図３】本発明の実施例に係る携帯端末の筐体にスライド機構とケーブルが組み込まれた状態およびスライド状態を説明する図。
【図４】本発明の実施例に係る携帯端末の第２筐体の中での線材の移動を説明する図。
【符号の説明】
【００４１】
１  ベース部材
１ａ、１ｂ  端部
１ｃ  取り付け穴
２、３  シャフト
２ａ、３ａ  シャフト端部
４、５  バネ
８  スライダー
８ａ、８ｂ  リング
８ｃ  取り付け穴
１０  スライド機構
２０  ケーブル
２１  コネクタ
２２  線材
２３  線材
２４  コネクタ
２５  コネクタ
５０  第１筐体
５１  受話器
５２  表示部
５３  多機能キー
５４  ガイド凸部
５５  印刷基板
５６  ロック爪
７０  第２筐体
７１  送話器
７２  テンキー
７３  ガイド凹部
７４  印刷基板
７５  ロック穴
７６、７７  シャフト移動領域
７８  第１収納領域
７９  第２収納領域
１００  携帯端末
【図１】
2009194755.tif 000003
【図２】
2009194755.tif 000004
【図３】
2009194755.tif 000005
【図４】
2009194755.tif 000006